【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
患者を異なる日時に診療して得た複数の診療情報を外部装置から取得する取得手段と、
前記複数の診療情報の属性に応じて、前記複数の診療情報を複数のグループに分類する手段と、
前記複数のグループのいずれかのグループにおいて、前記グループの複数の診療情報のいずれかを表示手段に表示させ、且つ、前記表示された診療情報に対する処理を、前記表示された診療情報から切り替えられた前記グループの複数の診療情報における他の診療情報に対して施された状態で前記表示手段に表示させる表示制御手段と、
を有することを特徴とする制御装置。
【請求項２】
前記複数の診療情報は、前記患者を異なる日時に撮影して得た複数の医用画像を含み、
前記表示制御手段は、前記表示された医用画像から前記グループの複数の医用画像における他の医用画像に切り替えて表示させるための表示形態を前記表示手段に表示させ、且つ、前記表示された医用画像に対する処理を、前記表示された医用画像から切り替えられた前記グループの複数の医用画像における他の医用画像に対して施された状態で前記表示手段に表示させることを特徴とする請求項１に記載の制御装置。
【請求項３】
前記表示された医用画像に対して、拡大率、表示領域、表示スライス番号のうち少なくとも一つを適用することにより、前記処理が施されることを特徴とする請求項２に記載の制御装置。
【請求項４】
前記分類する手段は、前記複数の診療情報を該複数の診療情報の種類ごとに分類し、該種類ごとに分類された複数の診療情報を前記複数の診療情報の属性に応じて前記複数のグループに分類し、
前記表示制御手段は、前記種類ごとに分類された複数の診療情報を前記表示手段においてタブごとに表示させることを特徴とする請求項１乃至３のいずれか１項に記載の制御装置。
【請求項５】
前記分類する手段は、前記複数の診療情報のうち複数の医用画像を分類し、前記複数の医用画像のうち複数の同一部位のＸ線画像を分類し、
前記表示制御手段は、前記複数の同一部位のＸ線画像を前記表示手段における所定のタブにおいて表示させることを特徴とする請求項４に記載の制御装置。
【請求項６】
前記複数の診療情報は、患者を異なる診療所で診療して得た複数の電子カルテを含み、
前記分類する手段は、前記複数の電子カルテを、前記複数の電子カルテに対応する診療所ごとに分類し、
前記表示制御手段は、前記複数の電子カルテに対応する複数の画像を前記分類された状態で前記表示手段に表示させることを特徴とする請求項１乃至５のいずれか１項に記載の制御装置。
【請求項７】
患者を異なる複数の診療所で診療して得た複数の電子カルテを外部装置から取得する取得手段と、
前記複数の電子カルテを、前記複数の電子カルテに対応する複数の診療所の診療所ごとに分類する手段と、
前記複数の電子カルテに対応する複数の画像を前記分類された状態で表示手段に表示させる表示制御手段と、
を有することを特徴とする制御装置。
【請求項８】
電子カルテを外部装置より取得する取得手段と、
前記取得手段によって取得された前記電子カルテを電子カルテの種類ごとに分類する編集手段と、
前記取得手段によって取得された前記電子カルテからサムネイル画像を生成する生成手段と、
前記生成手段によって生成されたサムネイル画像を、前記編集手段によって分類された種類ごとに異なる領域に表示する表示制御手段と、
前記電子カルテの撮影属性のうち１つ以上の情報が一致する前記電子カルテを１つのグループと判断するグループ化手段とを備え、
前記表示制御手段は、前記サムネイル画像に対する操作に応じて、前記グループ化手段によってグループ化された前記電子カルテを時系列順に重ねて表示することを特徴とする制御装置。
【請求項９】
患者の診療情報に含まれる診療結果に対応するテンプレートを決定する決定手段と、
前記決定されたテンプレートに従って、印刷手段が前記診断結果を印刷媒体に印刷する際のレイアウトを生成する生成手段と、を更に有し、
前記表示制御手段が、前記生成されたレイアウトを表示手段に表示させることを特徴とする請求項１乃至８のいずれか１項に記載の制御装置。
【請求項１０】
前記表示手段に表示された複数のレイアウトから印刷するレイアウトを選択する選択手段と、
前記選択されたレイアウトを印刷手段により印刷媒体に印刷させる印刷制御手段と、
を更に有することを特徴とする請求項９に記載の制御装置。
【請求項１１】
患者の診療情報を取得する取得手段と、
前記診療情報に含まれる診療結果に対応するテンプレートを決定する決定手段と、
前記決定されたテンプレートに従って、印刷手段が前記診断結果を印刷媒体に印刷する際のレイアウトを生成する生成手段と、
を有することを特徴とする制御装置。
【請求項１２】
前記診療結果は、高血圧、糖尿病、肝炎、腫瘍、潰瘍のうち少なくとも一つの病状であることを特徴とする請求項９乃至１１のいずれか１項に記載の制御装置。
【請求項１３】
前記決定手段は、前記診療結果、患者の治療方針、印刷手段により前記診断結果及び前記治療方針が印刷された印刷媒体の配布先に対応するテンプレートを決定することを特徴とする請求項９乃至１２のいずれか１項に記載の制御装置。
【請求項１４】
前記治療方針は、経過観察、薬物療法、手術のうち少なくとも一つであり、
前記配布先は、医師、看護師、リハビリトレーナー、患者、患者家族のうち少なくとも一つであることを特徴とする請求項１３に記載の制御装置。
【請求項１５】
前記配布先を選択する選択手段を更に有し、
前記生成手段は、前記決定されたテンプレートに従って、前記選択された配布先に応じて、前記印刷手段が前記診断結果及び前記治療方針を印刷媒体に印刷する際のレイアウトを生成することを特徴とする請求項１３または１４に記載の制御装置。
【請求項１６】
患者の診療情報を取得する取得手段と、
印刷手段により前記診療情報に含まれる診断結果が印刷された印刷媒体の配布先を選択する選択手段と、
前記選択された配布先に応じて、前記印刷手段が前記診断結果を印刷媒体に印刷する際のレイアウトを生成する生成手段と、
を有することを特徴とする制御装置。
【請求項１７】
前記生成手段は、前記配布先として患者が選択された場合、専門用語が一般用語に変換された状態でレイアウトを生成することを特徴とする請求項１５または１６に記載の制御装置。
【請求項１８】
前記生成手段は、前記印刷手段が前記診断結果と前記患者の診断情報に含まれる複数の医用画像から選択された医用画像とを前記印刷媒体に印刷する際のレイアウトを生成することを特徴とする請求項９乃至１７のいずれか１項に記載の制御装置。
【請求項１９】
前記印刷手段に対する印刷指示に応じて、前記生成されたレイアウト結果を含む複数のページのうち選択されたページが前記印刷手段により前記印刷媒体に印刷されることを特徴とする請求項９乃至１８のいずれか１項に記載の制御装置。
【請求項２０】
患者を異なる日時に診療して得た複数の診療情報を外部装置から取得する工程と、
前記複数の診療情報の属性に応じて、前記複数の診療情報を複数のグループに分類する工程と、
前記複数のグループのいずれかのグループにおいて、前記グループの複数の診療情報のいずれかを表示手段に表示させ、且つ、前記表示された診療情報に対する処理を、前記表示された診療情報から切り替えられた前記グループの複数の診療情報における他の診療情報に対して施された状態で前記表示手段に表示させる工程と、
を有することを特徴とする制御方法。
【請求項２１】
患者を異なる複数の診療所で診療して得た複数の電子カルテを外部装置から取得する工程と、
前記複数の電子カルテを、前記複数の電子カルテに対応する複数の診療所の診療所ごとに分類する工程と、
前記複数の電子カルテに対応する複数の画像を前記分類された状態で表示手段に表示させる工程と、
を有することを特徴とする制御方法。
【請求項２２】
電子カルテを外部装置より取得する取得工程と、
取得された前記電子カルテを電子カルテの種類ごとに分類する編集工程と、
取得された前記電子カルテからサムネイル画像を生成する生成工程と、
生成されたサムネイル画像を、分類された種類ごとに異なる領域に表示する表示制御工程と、
前記電子カルテの撮影属性のうち１つ以上の情報が一致する前記電子カルテを１つのグループと判断するグループ化工程とを有し、
前記表示制御工程は、前記サムネイル画像に対する操作に応じて、グループ化された前記電子カルテを時系列順に重ねて表示することを特徴とする制御方法。
【請求項２３】
患者の診療情報を取得する工程と、
前記診療情報に含まれる診療結果に対応するテンプレートを決定する工程と、
前記決定されたテンプレートに従って、印刷手段が前記診断結果を印刷媒体に印刷する際のレイアウトを生成する工程と、
を有することを特徴とする制御方法。
【請求項２４】
患者の診断情報を取得する工程と、
印刷手段により前記診療情報に含まれる診断結果が印刷された印刷媒体の配布先を選択する選択手段により選択された配布先に応じて、前記印刷手段が前記診断結果を印刷媒体に印刷する際のレイアウトを生成する工程と、
を有することを特徴とする制御方法。
【請求項２５】
請求項２０乃至２４のいずれか１項に記載の制御方法の各工程をコンピュータに実行させることを特徴とするプログラム。
【手続補正２】
【補正対象書類名】明細書
【補正対象項目名】発明の名称
【補正方法】変更
【補正の内容】
【発明の名称】制御装置および制御方法
【手続補正３】
【補正対象書類名】明細書
【補正対象項目名】０００１
【補正方法】変更
【補正の内容】
【０００１】
本発明は、患者の診療情報を電子データとして制御する制御装置および制御方法に関する。
【手続補正４】
【補正対象書類名】明細書
【補正対象項目名】００１１
【補正方法】変更
【補正の内容】
【００１１】
本発明は上述した問題の一つを解決するためになされたものであり、事前準備を行わなくとも、必要な資料を術前カンファレンスの場で素早く検索し、表示可能な制御装置および制御方法を提供することを目的とする。
【手続補正５】
【補正対象書類名】明細書
【補正対象項目名】００１２
【補正方法】変更
【補正の内容】
【００１２】
また、別の本発明は上述した問題の一つを解決するためになされたものであり、表示した電子カルテを効率よく印刷可能な制御装置および制御方法を提供することを目的とする。
【手続補正６】
【補正対象書類名】明細書
【補正対象項目名】００１３
【補正方法】変更
【補正の内容】
【００１３】
本発明に係る制御装置は、
患者を異なる日時に診療して得た複数の診療情報を外部装置から取得する取得手段と、
前記複数の診療情報の属性に応じて、前記複数の診療情報を複数のグループに分類する手段と、
前記複数のグループのいずれかのグループにおいて、前記グループの複数の診療情報のいずれかを表示手段に表示させ、且つ、前記表示された診療情報に対する処理を、前記表示された診療情報から切り替えられた前記グループの複数の診療情報における他の診療情報に対して施された状態で前記表示手段に表示させる表示制御手段と、を有する。
また、別の本発明に係る制御装置は、
電子カルテを外部装置より取得する取得手段と、
前記取得手段によって取得された前記電子カルテを電子カルテの種類ごとに分類する編集手段と、
前記取得手段によって取得された前記電子カルテからサムネイル画像を生成する生成手段と、
前記生成手段によって生成されたサムネイル画像を、前記編集手段によって分類された種類ごとに異なる領域に表示する表示制御手段と、
前記電子カルテの撮影属性のうち１つ以上の情報が一致する前記電子カルテを１つのグループと判断するグループ化手段とを備え、
前記表示制御手段は、前記サムネイル画像に対する操作に応じて、前記グループ化手段によってグループ化された前記電子カルテを時系列順に重ねて表示する。
また、別の本発明に係る制御装置は、
患者の診療情報を取得する取得手段と、
前記診療情報に含まれる診療結果に対応するテンプレートを決定する決定手段と、
前記決定されたテンプレートに従って、印刷手段が前記診断結果を印刷媒体に印刷する際のレイアウトを生成する生成手段と、を有する。
また、本発明に係る制御方法は、
患者を異なる日時に診療して得た複数の診療情報を外部装置から取得する工程と、
前記複数の診療情報の属性に応じて、前記複数の診療情報を複数のグループに分類する工程と、
前記複数のグループのいずれかのグループにおいて、前記グループの複数の診療情報のいずれかを表示手段に表示させ、且つ、前記表示された診療情報に対する処理を、前記表示された診療情報から切り替えられた前記グループの複数の診療情報における他の診療情報に対して施された状態で前記表示手段に表示させる工程と、を有する。
また、別の本発明に係る制御方法は、
電子カルテを外部装置より取得する取得工程と、
取得された前記電子カルテを電子カルテの種類ごとに分類する編集工程と、
取得された前記電子カルテからサムネイル画像を生成する生成工程と、
生成されたサムネイル画像を、分類された種類ごとに異なる領域に表示する表示制御工程と、
前記電子カルテの撮影属性のうち１つ以上の情報が一致する前記電子カルテを１つのグループと判断するグループ化工程とを有し、
前記表示制御工程は、前記サムネイル画像に対する操作に応じて、グループ化された前記電子カルテを時系列順に重ねて表示する。
また、別の本発明に係る制御方法は、
患者の診療情報を取得する工程と、
前記診療情報に含まれる診療結果に対応するテンプレートを決定する工程と、
前記決定されたテンプレートに従って、印刷手段が前記診断結果を印刷媒体に印刷する際のレイアウトを生成する工程と、を有する。